(57)【要約】  【課題】複雑、且つ多くの作業が必要な音声調整を効率的に行える音声調整装置、およびその制御方法を提供することにある。  【解決手段】音声チャンネルに割り当てられた音声信号入力をパラメータに基づいて調整した調整音声信号をそれぞれ出力する複数の信号処理部と、信号処理部からの複数の調整音声信号を出力する出力部と、パラメータを複数のグループに分類する第１のリストを記憶する記憶部と、記憶部から読み出された所定のグループのパラメータを信号処理部に供給する制御部とを備える。【選択図】図１
2013183365.tif 000002
【特許請求の範囲】
【請求項１】
音声チャンネルに割り当てられた音声信号入力をパラメータに基づいて調整した調整音声信号をそれぞれ出力する複数の信号処理部と、
前記信号処理部からの複数の前記調整音声信号を出力する出力部と、
前記パラメータを複数のグループに分類する第１のリストを記憶する記憶部と、
前記記憶部から読み出された所定の前記グループの前記パラメータを前記信号処理部に供給する制御部と
を備える
音声調整卓。
【請求項２】
前記記憶部は、前記複数の音声信号入力が入力される複数の音声入力回線のそれぞれに、前記第１のリスト中の前記パラメータのグループの何れが割り当てられているかを示す第２のリストを記憶する
請求項１に記載の音声調整卓。
【請求項３】
前記複数の音声信号入力をそれぞれ前記複数の音声チャンネルに割り当てるルータを備える
請求項１および２の何れかに記載の音声調整卓。
【請求項４】
前記複数の信号処理部のそれぞれが行う処理の前記パラメータを調整する操作部を備える
請求項１乃至３の何れかに記載の音声調整卓。
【請求項５】
前記記憶部は、前記複数の音声入力回線のそれぞれと、前記操作部の操作チャンネルのそれぞれとの対応関係を示す第３のリストを記憶する
請求項４に記載の音声調整卓。
【請求項６】
前記パラメータは、音像定位を設定するパラメータを含み、前記調整音声信号は、サラウンド音声である
請求項１乃至５の何れかに記載の音声調整卓。
【請求項７】
パラメータを複数のグループに分類する第１のリストを記憶部に記憶し、
前記記憶部から読み出された所定のグループの前記パラメータを信号処理部に供給し、
前記信号処理部が音声チャンネルに割り当てられた音声信号入力を前記パラメータに基づいて調整して調整音声信号を出力する
音声調整卓の制御方法。
【発明の詳細な説明】
【技術分野】
【０００１】
本開示は、音声調整卓および音声調整卓の制御方法に関する。
【背景技術】
【０００２】
ラジオやテレビジョン等の放送スタジオや、音楽の録音スタジオ等には、入力された音声信号の音量や音質等を調整する音声調整卓が設けられている。音声調整卓は、ミキシングソールとも呼ばれる。音声調整卓に対して、マイクロホンや、ＶＴＲ(Video Tape Recorder)等の複数の音源が音声入力回線を通じて接続されている。音声調整卓は、入力された各音声信号について音量や音質の調整を行った後、各音声信号をミキシングして出力する。
【０００３】
音声調整卓には、音声の調整を行う音声調整者（オペレータ）によって操作されるボタンスイッチ、調整つまみ、フェーダー（音量調整装置）等の各種操作子が操作卓上に多数配置されている。音声調整者は、実際に音を聞きながら音声調整卓を操作して、各音声信号のミキシングバランスが最適となるように手動で調整している。音声調整者には、限られた時間の中で迅速、且つ正確に多数の操作子を操作することが要求されている。
【０００４】
最近では、地上アナログ放送から地上デジタル放送およびアナログ衛星放送からデジタル衛星放送への移行によって、テレビジョン放送は、サラウンド音声を送出することが可能となった。そして、デジタル放送の普及と共に、サラウンド音声を採用する放送番組も増加しつつある。
【０００５】
従来は、ステレオ放送であった音声がサラウンドとなったことによって、使用される音源の数も多くなっている。このため、サラウンド音声の番組を制作する場合には、音声入力回線の数が増大する。さらに、この種の番組の制作では、サラウンド音声の定位を調整するパンニング等のパラメータ調整が面倒となる。このような負担の増加に対応するためには、放送前に行われる音声の調整作業に多くの時間を費やしたり、音声調整者を増員する必要がある。
【０００６】
サラウンド音声放送の円滑な進行や音声調整者の操作負担の軽減を目的とした技術が例えば、特許文献１（特開２００５−１５１３６０号公報）や、特許文献２（特開２００７−６０２９４号公報）に開示されている。
【０００７】
特許文献１では、複数の音声の入出力チャンネル毎に複数種の調整機能を備えた音声調整卓を操作するための複数の操作部に、調整が必要となる場面に応じた所望の機能を割り付け、場面毎に切り替える操作部切替装置が開示されている。これにより、操作者の操作負担を軽減でき、操作レスポンスの遅れを防止できるとしている。
【０００８】
特許文献２では、操作領域毎に障害を検知し、障害が検知された操作領域から他の操作領域へ切替えると共に、障害が発生した操作領域からの入力を禁止する音声操作卓が開示されている。これにより、放送中における音声操作卓の障害を、オペレーションパネルでの障害の段階で検知し、システムの復旧を短時間で行うことにより、異常な音声の送出や無音状態の継続を防止することができるとしている。
【先行技術文献】
【特許文献】
【０００９】
【特許文献１】特開２００５−１５１３６０号公報
【特許文献２】特開２００７−６０２９４号公報
【発明の概要】
【発明が解決しようとする課題】
【００１０】
多数の音声入力回線の各々について行われる膨大なパラメータ調整の作業は、非常に多くの人員や長い時間が必要とされる。さらに、放送中に不測の障害が発生した場合等には、正常な音声出力の迅速な復旧が望まれる。特許文献１は、場面毎の音声調整の迅速な切り替えには寄与しているものの、その登録に手間がかかることで、音声調整者には負担がかかる。特許文献２は、障害の発生した操作領域の切り分けには特化しているものの、膨大なパラメータ調整の作業の負担が軽減されていない。
【００１１】
したがって、本開示の目的は、複雑、且つ多くの作業が必要な音声調整を効率的に行える音声調整卓およびその制御方法を提供することにある。
【課題を解決するための手段】
【００１２】
上述の課題を解決するために、本開示は、音声チャンネルに割り当てられた音声信号入力をパラメータに基づいて調整した調整音声信号をそれぞれ出力する複数の信号処理部と、
信号処理部からの複数の調整音声信号を出力する出力部と、
パラメータを複数のグループに分類する第１のリストを記憶する記憶部と、
記憶部から読み出された所定のグループのパラメータを信号処理部に供給する制御部と
を備える
音声調整卓である。
【００１３】
本開示は、パラメータを複数のグループに分類する第１のリストを記憶部に記憶し、
記憶部から読み出された所定のグループのパラメータを信号処理部に供給し、
信号処理部が音声チャンネルに割り当てられた音声信号入力をパラメータに基づいて調整して調整音声信号を出力する
音声調整卓の制御方法である。
【発明の効果】
【００１４】
本開示によれば、複雑且つ多くの作業が必要な音声調整を効率的に行うことができる。
【図面の簡単な説明】
【００１５】
【図１】本開示の一実施形態による音声調整卓の概要を説明するためのブロック図である。
【図２】本開示の一実施形態による音声調整卓の操作部の概要を示した概略的平面図である。
【図３】本開示の一実施形態による音声調整卓で用いられるパラメータライブラリの一例を示した略線図である。
【図４】本開示の一実施形態による音声調整卓で用いられるインプットソースリストの一例を示した略線図である。
【図５】本開示の一実施形態による音声調整卓で用いられるパネルレイアウトの一例を示した略線図である。
【図６】本開示の一実施形態による音声調整卓の制御方法を説明するためのフローチャートである。
【発明を実施するための形態】
【００１６】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
【００１７】
＜音声調整卓の構成＞
本開示の一実施形態による音声調整卓１について図を参照して説明する。図１には、音声調整卓１内における音声信号および制御信号の流れが示される。音声調整卓１は大別して、音声信号処理ユニット１０と、パラメータ調整操作部２０と、制御部３０と、記憶部４０とを有する。
【００１８】
音声信号処理ユニット１０は、回線数がｍの音声信号入力部１１−１、１１−２、・・・、１１−ｍと、ルータ１２と、チャンネル数がｎのパラメータ信号処理部１３−１、１３−２、・・・、１３−ｎと、ＭＩＸバス１４と、音声信号出力部１５とを有する。音声信号は、音声信号処理ユニット１０内で処理される。なお、音声信号入力の回線数ｍは、パラメータ信号処理部１３のチャンネル数ｎより多い。なお、１つの番組では、音声調整卓１に入力される全回線を必要とせず、その番組で必要となる音声素材に対応した回線が全回線から絞り込まれた上で用いられる。
【００１９】
音声信号入力部１１−１、１１−２、・・・、１１−ｍはマイクロホンや、ライン入力に例示される音声信号を受信すると、これを所定の形式に変換してルータ１２に供給する。ルータ１２は、複数の音声信号入力部１１−１、１１−２、・・・、１１−ｍから供給された所定の形式の音声信号入力をそれぞれ複数の音声チャンネルに割り当てる機能（すなわち、音声ルータ信号処理機能）を有する。
【００２０】
ルータ１２は、ルータマトリックスとも称される。複数の音声チャンネルには、パラメータ信号処理部１３−１、１３−２、・・・、１３−ｎがそれぞれ設けられている。パラメータ信号処理部１３−１、１３−２、・・・、１３−ｎは、複数の音声チャンネルに割り当てられた複数の音声信号入力をパラメータに基づいて調整（信号処理）した調整音声信号をそれぞれ出力する。加工される音色の調整としてはイコライジング処理等が例示される。パラメータ信号処理部１３−１、１３−２、・・・、１３−ｎは、例えば、ＤＳＰ(Digital Signal Processor)により構成される。
【００２１】
パラメータ信号処理部１３−１、１３−２、・・・、１３−ｎの出力信号がミキシングバス（ＭＩＸバスと適宜称する）１４に供給される。ＭＩＸバス１４は、複数の調整音声信号をミキシングする機能を有している。ＭＩＸバス１４の出力信号が音声信号出力部１５に最終的出力として取り出される。
【００２２】
制御信号は、制御部３０から直接、あるいはパラメータ調整操作部２０を介して音声信号処理ユニット１０に入力される。パラメータ調整操作部２０は、複数の操作チャンネル２１とを有している。複数の操作チャンネル２１は、パラメータ信号処理部１３−１、１３−２、・・・、１３−ｎのそれぞれに対応して設けられている。操作チャンネル２１は、複数のパラメータ信号処理部１３−１、１３−２、・・・、１３−ｎのそれぞれが行う処理のパラメータを調整（操作）する。なお、パラメータ調整操作部２０の詳細については後述する。
【００２３】
制御部３０は、記憶部４０から読み出されたパラメータに基づいて、ルータ１２の設定（割り当て）を制御すると共に、複数のパラメータ信号処理部１３−１、１３−２、・・・、１３−ｎにパラメータを設定する。
【００２４】
記憶部４０は、表形式で、パラメータ等のリストがまとめられているデータテーブルを格納している。データテーブルとしては、パラメータライブラリ（Ｐａｒａｍｅｔｅｒ
Ｌｉｂｒａｒｙ）５０と、インプットソースリスト（Ｉｎｐｕｔ  Ｓｏｕｒｃｅ  Ｌｉｓｔ）６０と、パネルレイアウト（Ｐａｎｅｌ  Ｌａｙｏｕｔ）７０とが設けられている。なお、これらのデータテーブルについては後に詳述する。以上説明した構成によって、本開示の特徴である回線連動ライブラリ制御が実現される。
【００２５】
図２は、本開示の一実施形態による音声調整卓１のパラメータ調整操作部２０を示す。上述したように、パラメータ調整操作部２０は、複数の操作チャンネル２１−１、２１−２、・・・、２１−ｎを有する。各操作チャンネル２１−１、２１−２、・・・、２１−ｎは、パラメータ信号処理部１３−１、１３−２、・・・、１３−ｎとそれぞれ接続される。各操作チャンネル２１は、対応付けられている各パラメータ信号処理部１３が行う処理のパラメータを調整（操作）する。
【００２６】
各操作チャンネル２１には、チャンネル表示部２２と、パラメータ設定ボタン２３と、パラメータ調整つまみ２４と、パラメータ調整ボタン２５と、入力音声素材名（ソースネーム）表示器２６と、フェーダー（レベル調整）２７とが設けられている。
【００２７】
チャンネル表示部２２には、パラメータ調整操作部２０の操作パネルのチャンネルが表示される。パラメータ設定ボタン２３は、当該の操作チャンネル２１の操作対象であるパラメータ信号処理部１３に対してパラメータの設定を行う機能を有する。パラメータ調整つまみ２４およびパラメータ調整ボタン２５は、パラメータ信号処理部１３のパラメータの調整を行う機能を有する。パラメータ調整つまみ２４には、例えば、ロータリエンコーダが用いられる。ソースネーム表示器２６は、当該のパラメータ信号処理部１３に割り当てられている入力音声信号名を表示する機能を有する。フェーダー２７は、パラメータ信号処理部１３に入力された音声信号のレベルを調整する機能を有する。フェーダー２７には例えば、スライド式の可変抵抗器が用いられる。
【００２８】
図３は、本開示の一実施形態による音声調整卓１で用いられるパラメータライブラリ５０の一例を示す。パラメータライブラリ５０には、グループ例えば用途グループ毎に分けられた複数のパラメータを記憶するものである。
【００２９】
パラメータライブラリ５０の第１列がライブラリ番号５１である。ライブラリ番号５１は、パラメータライブラリ５０の１行に含まれる複数のパラメータを有するグループ毎に付される。ライブラリネーム５２は、音声調整者が、当該ライブラリ番号５１と対応するパラメータのグループを判別しやすくするために命名されたものである。ライブラリネーム５２には、例えば当該パラメータの用途が用いられる。
【００３０】
パラメータ５３は、グループ毎に適切に設定されているパラメータ各項目の値である。パラメータ５３の設定項目５４には、設定されるパラメータの項目の一覧が示されている。一例として、設定項目５４は、一例として、以下のように、入力レベル、ハイパスフィルタ（ＨＰＦ）、ローパスフィルタ（ＬＰＦ）、イコライザ（ＥＱ）、サラウンドパン（Ｓｕｒｒ  Ｐａｎ）、出力レベルおよびバスアサイン（Ｂｕｓ  Ａｓｓｉｇｎ）の項目を含む。
【００３１】
入力レベル：入力信号に対するレベル調整のパラメータである。レベル調整を機能させるか否か（ＯＮ／ＯＦＦ）の設定も可能である。
ハイパスフィルタ、ローパスフィルタ：不要な帯域の信号を減衰させるための機能である。減衰させる周波数の値がパラメータとして設定されている。フィルタを機能させるか否か（ＯＮ／ＯＦＦ）の設定も可能である。
イコライザ：音作りを目的として周波数特性を補正するための機能である。中心周波数とゲイン可変量とがパラメータとして設定される。イコライザを機能させるか否か（ＯＮ／ＯＦＦ）の設定も可能である。
【００３２】
サラウンドパン：複数のバスに対して信号を分割配分し、バス間のレベル差によって音像の定位を設定する機能である。図３のリストの例では、５．１チャンネルサラウンドの例が示されている。５．１チャンネルサラウンドでは、Ｌ（フロントレフト）、Ｒ（フロントライト）、Ｃ（センター）、Ｌｓ（リアレフト）、Ｒｓ（リアライト）の５チャンネルのスピーカとサブウーファとが所定の位置関係に配置される。
音像の定位の種類として、左右方向（ＬＣＲ）と前後方向（Ｆｓ）とが設定され、さらに、センターのレベル（ＯＮ／ＯＦＦを含む）が設定される。ここで、「Ｌ＜＜」は左、「＞Ｃ＜」は中央、「Ｒ＞＞」は右、「Ｆ＜＜」は前方、「＞＞Ｒ」は後方、「Ｒ５０」は前後の中央を意味する。
【００３３】
バスアサイン：バスは、複数の音声信号を混合して一つの信号系統にまとめたものである。図３の例では、バスとして、主出力（メイン出力用）、補助出力（モニタ用等）、Ｎ−１（中継回線に戻す音声用等）が示されている。
なお、上述したパラメータライブラリ５０の設定項目５４は、一例であって、他の項目が追加されても良い。
【００３４】
ここでは、例として、第１行のグループを取り上げて簡単に説明する。第１行のグループの項目には、ライブラリ番号５１の「１」として「Ｍ．Ｃ」（Ｍａｓｔｅｒ  ｏｆ  Ｃｅｒｅｍｏｎｙ：司会や、進行役のこと）が設定されている。入力音声の調整パラメータとしてこの「Ｍ．Ｃ」が設定されると、−４０ｄＢの入力レベルに調整され、ＨＰＦによって１００Ｈｚ以下の音声およびＬＰＦによって１０ｋＨｚ以上の音声が減衰される。ＥＱによって、中心周波数が２００Ｈｚの音量が−１０ｄＢとなるように調整される。
【００３５】
調整された音声信号の音像定位は、サラウンドパンの項目によれば、「＞Ｃ＜」「Ｆ＜＜」「０ｄＢ（Ｃ）」に設定されている。これは、「Ｍ．Ｃ」の音像定位は、前方の中央であり、中央からは０ｄＢで出力がなされることを意味している。そして、最終的には０ｄＢとなるように調整されて、主出力、補助出力およびＮ−１のそれぞれのバスに音声信号が出力されることとなる。
【００３６】
このように、用途グループ毎に分類されて、パラメータライブラリ５０としてパラメータが予め設定されている。なお、このグループの分け方は、音声調整卓１の使用者によって自由に選択できる。用途グループ（または入力音声の種類）に対して、パラメータが共通性を有する。パラメータライブラリ５０は、事前設定されるが、変更することも可能である。
【００３７】
図４は、本開示の一実施形態による音声調整卓１で用いられるインプットソースリスト６０の一例を示す。インプットソースリスト６０には、複数の音声信号入力が入力された複数の音声入力回線のそれぞれに、パラメータライブラリ５０に記録されたパラメータの何れが割り当てられているかが記憶される。
【００３８】
インプットソースリスト６０の第１列にはソース番号６１が設けられている。ソース番号６１は、インプットソースリスト６０を構成する複数の音声入力回線のそれぞれに付される番号である。ソースネーム６２は、音声調整者が、当該ソース番号６１を判別しやすくするために任意に命名可能な名前である。ソースネーム６２には、例えば音声入力回線の種類の名前が用いられる。パラメータライブラリ欄６３には、当該の音声入力回線に割り当てられた、パラメータライブラリ５０のライブラリ番号５１およびライブラリネーム５２が記される。
【００３９】
ここでは、例として、インプットソースリスト６０の第７行を取り上げて簡単に説明する。インプットソースリスト６０の第７行は、ソース番号６１が「７」であり、ソースネーム６２としては、７番目のマイクロホン入力を意図した「ＭＩＣ７」と名付けられている。この「ＭＩＣ７」には、パラメータライブラリ５０のライブラリ番号５１が「１０」である「Ｓｕｒｒ  ＡＭＢ（環境素材音）」が設定されている。この結果、ソース番号６１が「７」の音声入力回線に入力された音声信号入力は、パラメータライブラリ５０の第１０行（図３参照）のパラメータ５３による調整が行われることとなる。
【００４０】
このように、音声調整卓１の音声入力回線はインプットソースリスト６０で管理されている。そして、それぞれの音声入力回線に、パラメータライブラリ５０のライブラリ番号５１を指定することでそのパラメータ５３が設定可能に設けられている。
【００４１】
図５は、本開示の一実施形態による音声調整卓１で用いられるパネルレイアウト７０の一例を示した略線図である。パネルレイアウト７０には、インプットソースリスト６０に基づいてパラメータが割り当てられた複数の音声入力回線のそれぞれと、操作チャンネル２１のそれぞれとの割り当てが記録されている。
【００４２】
パネルレイアウト７０の第１列にはパネルＣＨ番号７１が設けられている。パネルＣＨ番号７１は、パラメータ調整操作部２０を構成する複数の操作チャンネル２１のそれぞれに付される識別子である。パネルＣＨ番号７１には通し番号が好適に用いられる。ソース番号欄７２およびソースネーム欄７３には、当該の操作チャンネル２１に割り当てられた、インプットソースリスト６０のソース番号６１およびソースネーム６２が記されている。
【００４３】
例えば、パネルレイアウト７０の第１行のパネルＣＨ番号７１が「１」である操作チャンネル２１−１には、ソース番号６１が「１１」である「Ｌｉｎｅ１」が割り当てられている。したがって、この操作チャンネル２１−１では、音声信号入力に対し、パラメータライブラリ５０のライブラリ番号５１が「２」である「Ｌｉｎｅ」のパラメータ５３による調整が行われるように設定されている。
【００４４】
このような、音声入力回線の操作チャンネル２１へのアサイン（割り当て）によって音声信号入力の調整が可能な状態となる。その際に、インプットソースリスト６０の音声入力回線毎に設定されているパラメータライブラリ欄６３の番号からパラメータ５３が操作チャンネル２１へと自動設定されるように構成されている。
【００４５】
本開示の一実施形態による音声調整卓１では、音声入力回線の操作チャンネル２１への設定と共に、入力音声の種類毎に設定されているパラメータ５３がパラメータ信号処理部１３に自動設定される構成となっている。よって、全パラメータを最初から設定し直す必要がないため、音声調整卓１の調整の作業を軽減することができる。本開示の一実施形態による音声調整卓１の構成では同様に、音声入力回線の差し替え時においても即座に最低限のパラメータ値が自動設定される。よって、音声入力回線のアサイン後には、微調整程度の少ないパラメータ調整のみ行うだけで済み、短時間で、差し替え作業を完了することができる。
【００４６】
なお、音声調整卓１で用いられるパラメータは、音声信号入力に音像定位を設定するパンニングを含んでおり、調整音声信号の対象は５．１チャンネルサラウンドである。しかしながら、本開示の一実施形態は、５．１チャンネルサラウンドに限らず、７．１チャンネルサラウンド、２チャンネルステレオ等にも適用可能である。
【００４７】
＜音声調整卓の制御方法＞
図６を参照して、音声調整卓１を制御するために用いられるデータテーブルの登録方法について順を追って説明する。
「パラメータライブラリ５０の登録」
まず、音声調整卓１での使用が想定される入力音声が種類別に分類される。その分類された入力音声の種類毎に、識別用の名称であるライブラリネーム５２と、出力先のルーティング設定、音質調整、音量調整等のパラメータ５３とがパラメータライブラリ５０に登録される（ステップＳ１０１）。なお、パラメータライブラリ５０は、機器の設置後であっても、設備運用開始後であっても編集および追加登録が可能である。
【００４８】
「インプットソースリスト６０の登録」
次に、番組に用いられる各入力音声の用途が記載されている番組プランが参照されて、ソース番号６１を有する各音声信号入力のそれぞれの用途が調べられる。その各音声信号入力のそれぞれの用途に適したパラメータライブラリ５０のライブラリ番号５１が選択されて、インプットソースリスト６０に登録される（ステップＳ１０２）。
【００４９】
「パネルレイアウト７０の登録」
そして、番組プランに基づいて、使用される複数の音声信号入力が、それぞれパラメータ信号処理部１３へと接続される。すなわち、これによって、ルータ１２が設定される。パラメータ信号処理部１３−１、１３−２、・・・、１３−ｎに対応して、操作チャンネル２１−１、２１−２、・・・、２１−ｎがそれぞれ接続されている。したがって、この接続によって、操作チャンネル２１のそれぞれに対して音声信号入力がそれぞれ１対１で割り当てられることとなる。この操作によって、どの操作チャンネル２１でどの音声が調整可能になるかが決定される。こうして、パラメータライブラリ５０に登録されている複数のパラメータ５３が、パラメータ調整操作部２０の図示せぬモニタ等に表示されると共に、複数のパラメータ信号処理部１３へと設定される（ステップＳ１０３）。
【００５０】
データテーブルの登録が完了した音声調整卓１は、番組プランに適した調整が既に行える状態となっている。ただし、その後においても、話し手の変更、マイクロホンの位置、回線の状態等によって音声を微調整する必要がある。その際には、パラメータ調整操作部２０にて必要な微調整が行われる。
【００５１】
音声調整卓１において、ルータ１２の設定が行われた段階で、番組に適した調整操作を行うパラメータ５３がパラメータ信号処理部１３に対して自動的に設定される。よって、工場出荷値（デフォルト値）ではなく、パラメータ５３が読み込まれた状態で音声調整卓１を起動することができる。
【００５２】
放送番組を制作する際に用いられる音声入力回線数は１００を超える場合もある。各入力音声に対して行われる音声調整のパラメータは膨大であり、その数は１００を超える。したがって、音声調整の全パラメータの合計が１００００に及ぶこともある。このような膨大な数のパラメータの調整を手作業で全て行うには非常に多くの時間および人員を要する。その点、本開示の一実施形態による音声調整卓１では、番組に適するように調整がなされたパラメータが自動的に設定されるため、膨大なパラメータ調整の作業の負担を軽減することができる。さらに、番組の場面毎に音声入力回線を使い分けるような場合においても、本開示の実施形態による音声調整卓１ではその効果が発揮される。
【００５３】
さらに、番組制作の現場において、特に、生放送番組中の不測の障害等によって音声入力回線の差し替えが行われる場合にも本開示の一実施形態による音声調整卓１は有効である。すなわち、工場出荷値ではなく、調整がなされたパラメータが読み込まれた状態で起動することができることによって、パラメータの登録の手間を省き、回線の差し替え作業を素早く、且つ正確に行うことができる。
よって、本開示の実施形態による音声調整卓１によれば、複雑、且つ多くの作業が必要な音声調整を効率的に行うことができる。
【００５４】
「変形例」
以上、本開示の実施形態について具体的に説明したが、上述の各実施形態に限定されるものではなく、本開示の技術的思想に基づく各種の変形が可能である。例えば、上述の実施形態において挙げた構成、方法、工程、形状、材料および数値などはあくまでも例に過ぎず、必要に応じてこれと異なる構成、方法、工程、形状、材料および数値などを用いてもよい。
【符号の説明】
【００５５】
１  ・・・音声調整卓
１０・・・音声信号処理ユニット
１２・・・ルータ
１３・・・パラメータ信号処理部
１４・・・ＭＩＸバス
１５・・・音声信号出力部
２０・・・パラメータ調整操作部
２１・・・操作チャンネル
２２・・・チャンネル表示部
２３・・・パラメータ設定ボタン
２５・・・パラメータ調整ボタン
２６・・・ソースネーム表示器
２７・・・フェーダー
３０・・・制御部
４０・・・記憶部
５０・・・パラメータライブラリ
５１・・・ライブラリ番号
５２・・・ライブラリネーム
５３・・・パラメータ
５４・・・設定項目
６０・・・インプットソースリスト
６１・・・ソース番号
６２・・・ソースネーム
６３・・・パラメータライブラリ欄
７０・・・パネルレイアウト
７１・・・パネルＣＨ番号
７２・・・ソース番号欄
７３・・・ソースネーム欄
【図１】
2013183365.tif 000003
【図２】
2013183365.tif 000004
【図３】
2013183365.tif 000005
【図４】
2013183365.tif 000006
【図５】
2013183365.tif 000007
【図６】
2013183365.tif 000008